(57)【要約】【課題】送受信におけるRSSIの解析によらず、常に存在する無駄な電力消費を削減することができる無線装置およびその電力制御方法を提供。【解決手段】携帯電話機10は、マンチェスタ判定部24で復調データがあらかじめ設定したマンチェスタ符号を用いた判定条件を満足するか否かを判定し、判定に応じた許可/禁止の状況を表わす判定信号46を生成し、判定信号46の許可に応じてバッファ26が格納した復調データ48を出力させ、判定信号46をRF部18および復調器22に供給し、判定信号46の禁止に応じてRF部18および復調器24の動作を停止させる。【選択図】図１
2007221655.tif 000002
【特許請求の範囲】
【請求項１】
高周波信号を受信する無線装置であって、該装置は、
前記高周波信号をベースバンド周波数に変換し、変換した受信信号を出力する周波数変換手段と、
該変換した受信信号を復調し、復調した受信信号を復調データとしてディジタル変換する復調手段と、
該復調データがあらかじめ設定したマンチェスタ符号を用いた判定条件を満足するか否かを判定し、判定に応じた許可/禁止の状況を表わす判定信号を生成する判定手段と、
該判定手段からの復調データを一時的に格納する記憶手段とを含み、
該装置は、前記判定信号の許可に応じて前記記憶手段が格納した復調データを出力させ、前記判定信号を前記周波数変換手段および前記復調手段に供給し、前記判定信号の禁止に応じて前記周波数変換手段および前記復調手段の動作を停止させることを特徴とする無線装置。
【請求項２】
請求項１に記載の装置において、前記判定条件は、同レベルのデータが３ビット以上の連続に応じて禁止を設定させることを特徴とする無線装置。
【請求項３】
請求項１または２に記載の装置において、該装置は、該装置を制御する制御手段と、
前記記憶手段と前記制御手段とをつなぐインタフェース手段とを含み、
該装置は、前記判定信号に応じて前記制御手段および前記インタフェース手段の動作を制御することを特徴とする無線装置。
【請求項４】
高周波信号を送受信する無線装置であって、該装置は、
前記高周波信号をベースバンド周波数に変換し、変換した受信信号を出力し、ベースバンド周波数の送信信号を前記高周波信号に変換する周波数変換手段と、
該変換した受信信号を復調し、復調した受信信号を復調データとしてディジタル変換する復調手段と、
該復調データがあらかじめ設定したマンチェスタ符号を用いた判定条件を満足するか否かを判定し、判定に応じた許可/禁止の状況を表わす判定信号を生成する判定手段と、
該判定手段からの復調データを一時的に格納する記憶手段と、
送信する送信データをマンチェスタ符号に符号化する符号化手段と、
符号化した送信データを変調し、前記周波数変換手段に出力する変調手段とを含み、
該装置は、前記判定信号の許可に応じて前記記憶手段が格納した復調データを出力させ、前記判定信号を前記周波数変換手段および前記復調手段に供給し、前記判定信号の禁止に応じて前記周波数変換手段および前記復調手段の動作を停止させることを特徴とする無線装置。
【請求項５】
請求項４に記載の装置において、前記判定条件は、同レベルのデータが３ビット以上の連続に応じて禁止を設定させることを特徴とする無線装置。
【請求項６】
請求項４または５に記載の装置において、該装置は、該装置を制御する制御手段と、
前記記憶手段と前記制御手段とをつなぐインタフェース手段とを含み、
該装置は、前記判定信号に応じて前記制御手段および前記インタフェース手段の動作を制御することを特徴とする無線装置。
【請求項７】
高周波信号の受信における電力の消費を抑制する電力制御方法において、該方法は、
復調した受信信号を復調データとしてディジタル変換する第１の工程と、
該復調データがあらかじめ設定したマンチェスタ符号を用いた判定条件を満足するか否かを判定する第２の工程と、
判定に応じた許可/禁止の状況を表わす判定信号を生成する第３の工程とを含み、
該方法は、前記判定信号の許可に応じて前記復調データを出力させ、前記判定信号の禁止に応じて周波数の変換および第１の工程を停止させることを特徴とする電力制御方法。
【請求項８】
請求項７に記載の方法において、前記判定条件は、同レベルのデータが３ビット以上の連続に応じて禁止を設定させることを特徴とする電力制御方法。
【請求項９】
請求項７または８に記載の方法において、該方法は、さらに、前記判定信号の禁止に応じてクロック信号の生成を許可する許可信号の生成を禁止制御することを特徴とする電力制御方法。
【発明の詳細な説明】
【技術分野】
【０００１】
本発明は、無線装置およびその電力制御方法に関し、とくに、無線装置は、携帯電話機および情報通信端末装置等における電力制御に関するものであり、電力制御方法は、たとえばマンチェスタ符号データのパターン解析を利用した回路の起動を制御することによる電力制御技術に関するものである。
【背景技術】
【０００２】
無線装置は、送信側のタイマによる割り込みにより、RF（Radio Frequency）部、RSSI（Received Signal Strength Indicator）部および判定部を起動させて、RF部にて高周波信号を取り込む。無線装置は、RF部から取り込んだ信号における受信電界強度の値をディジタルに変換して、判定部に引き渡す。無線装置は、判定部で送信可否を判定し、可能な場合送信側から出力する。
【０００３】
また、無線装置は、受信側に空中を伝播してきた信号を捕捉する場合タイマによる割り込みによりRF部、RSSI部および判定部を起動させて、RF部にて高周波信号を取り込む。無線装置は、RF部より取り込んだ信号における受信電界強度の値をディジタルに変換して、判定部に引き渡す。無線装置は、判定部でRSSIの値が設定していた閾値より高いか否かを判定する。無線装置は、RSSIの値が閾値以下の場合、受信可能な信号が到来していないと判断して、RF部、RSSI部および判定部の動作を停止させる。
【０００４】
一方、無線装置は、RSSIの値が閾値より高い場合、何らかの信号が到来したと判断する。無線装置は、この判断を受けて、復調器、Host_IF（InterFace）部および制御部を起動する。無線装置は、受信信号を復調器にて復調し、復調したデータを制御部にこのデータを転送する。制御部の制御回路では転送されたデータのパターンを解析する。制御回路は、パターン解析から自分宛ての信号であるか否かを解析する。無線装置は、制御回路でのパターン解析結果によりデータの取得または破棄を判断する。
【０００５】
また、特許文献１は送信機、受信機および送受信機であり、フェージングや妨害波に対応するように構成する。受信機は、復調回路を含み、復調回路は送信機からの受信した電波が有する搬送波成分を除去しこの除去された信号をマンチェスタ符号化し符号化された復調信号としてマンチェスタ復号回路に出力する。マンチェスタ復号回路は、復調信号から誤りのある箇所を特定する符号則違反検出信号を出力し、この検出信号に基づき誤りのある箇所の信号レベルを“0”とする復号信号を出力する。受信機は、搬送波毎の復号信号を合成して送信情報を再現する。受信機は、復調信号に含まれる誤りの箇所を容易に特定することができる。
【特許文献１】特開平11−55228号公報
【発明の開示】
【発明が解決しようとする課題】
【０００６】
しかしながら、前述した構成で復調動作させると、データ解析の都度Host_IF部および制御部を起動させる。このため、無線装置は、消費電流を増大させてしまう問題があった。また、制御部は、起動後のデータ転送時においてもデータパターン解析を制御部だけで解析することから、解析終了するまでに時間がかかる。無線装置は、この結果、この時間分の消費電力が増大してしまうという問題があった。
【０００７】
特許文献１の受信機は、マンチェスタ符号化された信号を用い、復調信号に含まれる誤りの箇所を容易に特定するという技術が開示されているが、消費電力の増大を回避する技術について何等の示唆も開示もない。
【０００８】
本発明はこのような従来技術の欠点を解消し、送受信におけるRSSIの解析によらず、常に存在する無駄な電力消費を削減することができる無線装置およびその電力制御方法を提供することを目的とする。
【課題を解決するための手段】
【０００９】
本発明は上述の課題を解決するために、高周波信号を受信する無線装置であって、該無線装置は、高周波信号をベースバンド周波数に変換し、変換した受信信号を出力する周波数変換手段と、この変換した受信信号を復調し、復調した受信信号を復調データとしてディジタル変換する復調手段と、この復調データがあらかじめ設定したマンチェスタ符号を用いた判定条件を満足するか否かを判定し、判定に応じた許可/禁止の状況を表わす判定信号を生成する判定手段と、この判定手段からの復調データを一時的に格納する記憶手段とを含み、この装置は、判定信号の許可に応じて記憶手段が格納した復調データを出力させ、判定信号を周波数変換手段および復調手段に供給し、判定信号の禁止に応じて周波数変換手段および復調手段の動作を停止させることを特徴とする。
【００１０】
また、本発明は上述の課題を解決するために、高周波信号を送受信する無線装置であって、この装置は、高周波信号をベースバンド周波数に変換し、変換した受信信号を出力し、ベースバンド周波数の送信信号を高周波信号に変換する周波数変換手段と、この変換した受信信号を復調し、復調した受信信号を復調データとしてディジタル変換する復調手段と、この復調データがあらかじめ設定したマンチェスタ符号を用いた判定条件を満足するか否かを判定し、判定に応じた許可/禁止の状況を表わす判定信号を生成する判定手段と、この判定手段からの復調データを一時的に格納する記憶手段と、送信する送信データをマンチェスタ符号に符号化する符号化手段と、符号化した送信データを変調し、前記周波数変換手段に出力する変調手段とを含み、この装置は、判定信号の許可に応じて記憶手段が格納した復調データを出力させ、判定信号を周波数変換手段および復調手段に供給し、判定信号の禁止に応じて周波数変換手段および復調手段の動作を停止させることを特徴とする。
【００１１】
さらに、本発明は上述の課題を解決するために、高周波信号の受信における電力の消費を抑制する電力制御方法において、この方法は、復調した受信信号を復調データとしてディジタル変換する第１の工程と、この復調データがあらかじめ設定したマンチェスタ符号を用いた判定条件を満足するか否かを判定する第２の工程と、判定に応じた許可/禁止の状況を表わす判定信号を生成する第３の工程とを含み、この方法は、判定信号の許可に応じて復調データを出力させ、判定信号の禁止に応じて周波数の変換および第１の工程を停止させることを特徴とする
【発明の効果】
【００１２】
本発明の無線装置によれば、判定手段で復調データがあらかじめ設定したマンチェスタ符号を用いた判定条件を満足するか否かを判定し、判定に応じた許可/禁止の状況を表わす判定信号を生成し、判定信号の許可に応じて記憶手段が格納した復調データを出力させ、判定信号を周波数変換手段および復調手段に供給し、判定信号の禁止に応じて周波数変換手段および復調手段の動作を停止させることにより復調開始時において従来に比べて迅速に動作の停止を可能にし、少なくとも、周波数変換手段および復調手段の動作を停止させて電力消費を削減することができる。また、記憶手段を用いて数バイト溜めてから判定することで、一定時間安定したデータの転送が可能である。これにより、通信品質を向上させることができる。
【００１３】
また、本発明の無線装置によれば、判定手段で復調データがあらかじめ設定したマンチェスタ符号を用いた判定条件を満足するか否かを判定し、判定に応じた許可/禁止の状況を表わす判定信号を生成し、判定信号の許可に応じて記憶手段が格納した復調データを出力させ、判定信号を周波数変換手段および復調手段に供給し、判定信号の禁止に応じて周波数変換手段および復調手段の動作を停止させることにより復調開始時において従来に比べて迅速に動作の停止を可能にし、少なくとも、周波数変換手段および復調手段の動作を停止させて電力消費を削減させることができ、符号化手段で送信する送信データをマンチェスタ符号に符号化することでも半分の時間でマンチェスタパターンのデータ生成が可能となる。
【００１４】
さらに、本発明の電力制御方法によれば、復調した受信信号を復調データとしてディジタル変換し、この復調データがあらかじめ設定したマンチェスタ符号を用いた判定条件を満足するか否かを判定し、判定に応じた許可/禁止の状況を表わす判定信号を生成して、判定信号の許可に応じて復調データを出力させ、不要データのパターンを認知し、判定信号の禁止に応じて周波数の変換および復調を停止させる制御により従来に比べて迅速な動作の停止を可能にし、結果として無駄な電力の消費を削減させることができる。
【発明を実施するための最良の形態】
【００１５】
次に添付図面を参照して本発明による無線装置の一実施例を詳細に説明する。図１を参照すると、本発明による無線装置の実施例は、マンチェスタ判定部24で復調データがあらかじめ設定したマンチェスタ符号を用いた判定条件を満足するか否かを判定し、判定に応じた許可/禁止の状況を表わす判定信号46を生成し、判定信号46の許可に応じてバッファ26が格納した復調データを出力させ、判定信号46をRF部18および復調器22に供給し、判定信号46の禁止に応じてRF部18および復調器24の動作を停止させることに特徴がある。これより復調開始時において従来に比べて迅速に動作の停止が可能になり、少なくとも、RF部18および復調器24の動作を停止させて電力消費を削減することができる。また、バッファ26を用いて数バイト溜めてから判定することで、一定時間安定したデータの転送が可能である。これにより、通信品質を向上させることができる。
【００１６】
本実施例は、本発明の無線装置を携帯電話機10に適用した場合である。本発明と直接関係のない部分について図示および説明を省略する。以下の説明で、信号はその現れる接続線の参照番号で指示する。
【００１７】
携帯電話機10は、図１に示すように、送受信部12および制御部14を含む。送受信部12は、空中伝播された高周波信号32を受信し、受信した高周波信号を復調して出力する受信機能と、供給された送信データをマンチェスタ符号化して、変調して高周波信号38として送信する機能を有する。これらの機能を実現させるため、送受信部12は、アンテナ16、RF部18、RSSI部20、復調器22、マンチェスタ判定部24、バッファ26、Host_IF（InterFace）回路28、マンチェスタ符号化部30および変調器32を含む。
【００１８】
ただし、携帯電話機10はマンチェスタ符号化部30および変調器32を除くと受信機能だけに限定される。また、携帯電話機10はマンチェスタ符号化部30および変調器32を有する構成にすることにより送信機能に限定される。
【００１９】
アンテナ16は、高周波信号32に対する指向性、利得およびインピーダンス等のアンテナ特性を有して、電磁波を送受信する機能を有する。アンテナ16は、受信した高周波信号32をRF部18に送る。また、アンテナ16は、送信においてRF部18から供給される信号を高周波信号32として放射する。
【００２０】
RF部18は、受信した高周波信号に含まれる搬送波を除いて、ベースバンドにするダウンコンバート機能と逆にベースバンドの変調信号を搬送波にのせるアップコンバート機能を有する。RF部18は受信した信号34をRSSI部20に出力する。RF部18は受信した信号32をダウンコンバートし、これによるベースバンド周波数にされた信号36を復調器22に出力する。また、RF部18は変調器32から供給される変調信号38をアップコンバートし、搬送波にのせてアンテナ16に出力する。
【００２１】
RSSI部20は、RF部より取り込んだ信号の受信電解強度値を求める機能を有する。RSSI部20は、求めたこの値40をディジタル変換し、制御部14に出力する。
【００２２】
復調器22は、ベースバンド周波数にされたアナログ信号36をディジタル変換し、変換したデータを復調する機能を有する。復調器22は、復調データ42をマンチェスタ判定部24に出力する。
【００２３】
マンチェスタ判定部24は、受信したデータに対してマンチェスタ符号が所定のデータパターンか否かを判定し、判定結果に応じたレベル信号を判定信号として出力する機能を有する。マンチェスタ判定部24には、クロック信号44が供給される。マンチェスタ符号のデータパターンにおける判定条件は、“0”または“1”が所定の時間、すなわち３ビット以上の時間にわたって連続しないことである。
【００２４】
ここで、３ビット以上の時間とは、３ビット＋αの値で規定し、システムに応じて設定することが好ましい。とくに、αの値は、誤り許容等がある場合に考慮して設定することが望ましい。
【００２５】
マンチェスタ判定部24は、判定条件から外れたと判定に応じてレベル“H”の判定信号44を出力する。マンチェスタ判定部24は、判定条件を満たす判定に応じてレベル“L”の判定信号44を出力する。マンチェスタ判定部24は、判定信号46をRF部18および復調器22に供給する。RF部18および復調器22は、判定信号46に応じて動作が制御される。また、マンチェスタ判定部24は、判定信号46を、Host_IF回路28を介して制御部14に出力する。さらに、マンチェスタ判定24は、クロック信号44に応じて入力した復調データ42を、後段で述べるように、マンチェスタ符号の１ビットを２ビットのデータとして復調し、復調データ48としてバッファ26に出力する。
【００２６】
バッファ26は、マンチェスタ判定部24からの復調データ48を一時記憶し、記憶した復調データ48を破棄する機能を有する。本実施例のバッファ26は、図示しないが動作におけるイネーブル信号が供給され、バッファ26はアクティブ“L”の負論理で出力動作が制御される。バッファ26は、判定条件を満たすマンチェスタ符号のデータパターンに応じて復調データ48を復調データ50としてHost_IF回路28に出力する。また、バッファ26は、判定条件から外れた非マンチェスタ符号のデータパターンに応じて復調データ48を破棄する。
【００２７】
Host_IF回路28は、送受信部12と制御部14の入出力インタフェース機能を有する。Host_IF回路28には、判定信号46および復調データ50が供給される。Host_IF回路28は、判定信号44および復調データ48を受信データ52として制御部14のHost_IF回路54に出力する。また、Host_IF回路28は、制御部14で生成された送信データ56を受信し、送信データ58としてマンチェスタ符号化部30に出力する。
【００２８】
マンチェスタ符号化部30は、Host_IF回路28から出力される送信データ58をマンチェスタ符号化する機能を有する。マンチェスタ符号化部30は、符号化した送信データ60を変調器32に送る。
【００２９】
マンチェスタ符号化は、図2(a)の時間T1で示すように、転送レートの２ビット時間を１単位に設定する。この符号化における論理は、転送レートの１ビット時間T2が示す論理値“0”や“1”の組合せでマンチェスタ符号の論理を表わす。具体的に、論理は、図2(b)〜図2(e)に、“1”と“0”、“0”と“0”、 “0”と“1”および“1”と“1”を示す。このようにマンチェスタ符号において論理値“0”または“1”の３ビット時間以上の発生は有り得ない。
【００３０】
変調器32は、送信データ58をアナログ信号に変換し、変調する。変調器32は、変調したアナログ信号38をRF部18に出力する。
【００３１】
制御部14は、Host_IF回路54、制御回路62、判定部64およびタイマ66を含む。Host_IF部54は、送受信部12と制御部14の入出力インタフェース機能を有する。Host_IF回路54は、判定信号46および復調データ50を受信データ52として入力する。Host_IF回路54は、受信データ52を受信データ68として制御回路62に出力する。また、Host_IF回路54は、制御回路62からの送信データ68として入力し、送信データ56を送出する。Host_IF回路54は、タイマ66からのカウント値70を入力し、送信データ56として送出する。
【００３２】
制御回路62は、クロック発生器72を含む。制御回路62は、判定信号46に応じてクロック発生器72の動作を許可するイネーブル信号74を生成する機能を有する。クロック発生器72は、イネーブル信号74に応じてクロック信号44を生成させる。クロック発生器72の動作を停止することにより、携帯電話機10の電力消費を抑制する。また、制御回路62は、送信データ68を生成する機能も有する。制御回路62は、入力されたデータを解析する機能を有する。具体的に、制御回路62は、入力された復調データの品質の検証、命令コードの解析およびデータ保存等の機能を担い、各部を制御する。
【００３３】
判定部64は、RSSI部20から入力される値40から空中の電波環境を判定する機能を有する。タイマ66は時間をカウントする回路である。タイマ66は、Host_IF回路54を介して送受信部12にカウント値70を出力する。タイマ66は、図示しないがカウント値70を制御回路62にも供給する。制御回路62は、カウント値70を基に割込み信号を生成し、携帯電話機10の起動を制御する。
【００３４】
この構成により、従来の携帯電話機における構成に比べて消費電力を抑えることができる。
【００３５】
次に携帯電話機10の動作について図３を参照しながら、簡単に説明する。送受信の動作は、基本的に、タイマ66による割り込みによりRF部18、RSSI部20および判定部64を起動させる。RF部18は、高周波信号32を取り込む。携帯電話機10は、RF部18から取り込んだ信号32をベースバンドに周波数変換し、変換された信号36を復調器22に出力する。
【００３６】
復調器22は、受信した信号36を復調しディジタル変換したデータを出力する（ステップS10）。
【００３７】
次にパターンを解析する（ステップS12）。マンチェスタ判定部24では、供給される復調データ42が判定条件を満たすか否か判定する。前述したように、判定条件は、“0”または“1”が３ビット＋α時間にわたって連続しないことである。判定条件を満足する、３ビット＋α時間連続しない場合、マンチェスタ符号のデータパターンとみなす。本実施例ではα＝0である。
【００３８】
次に復調データ48を通過させるかを判定する（ステップS14）。パターン解析を基に判定条件を満たす場合（YES）、マンチェスタ判定部24は、図4(b)の入力した復調データ42を、たとえば図4(a)に示すクロック信号44の立ち下がりタイミング、すなわち時刻t1から図4(c)に示す復調データ48としてバッファ26に出力する。また、マンチェスタ判定部24は、図4(d)に示すように、判定信号46をレベル“L”で出力する。この出力により携帯電話機10は、RF部18および復調器22の動作を維持する。
【００３９】
マンチェスタ判定部24は、図5(a)に示すマンチェスタ符号のデータが入力されると、図5(b)に示す２ビットの復調データ42を出力する。復調データ42は、図5(c)に示すクロック信号に応じたタイミングで生成される。このようにマンチェスタ判定部24は、マンチェスタ符号の１ビットを２ビットのデータとして復調する。
【００４０】
次にバッファ26に格納した復調データ48を出力する（ステップS16）。バッファ26は、復調データ48を、たとえばクロック信号44の立ち下がりタイミング、すなわち時刻t2から図5(e)に示す復調データ50として制御部14に出力する。この段階で制御部14は起動する。
【００４１】
次に制御部14にて供給される復調データ50を受信データ52として受信する（ステップS18）。制御部14は、Host_IF回路54を介して、復調データである受信データ68を制御回路62に供給する。
【００４２】
次に制御回路62では供給される受信データ68に対してデータ解析する（ステップS20）。制御回路62は、供給された受信データ68が携帯電話機10の自機宛に供給されたデータか否かを解析する。解析結果が自機宛を示す場合（YES）、データ受信を継続する処理に戻る（ステップS10へ）。また、解析結果が他機宛を示す場合（NO）、クロック信号44の停止処理に進む（ステップS24へ）。
【００４３】
次に制御回路62は、クロック信号44の生成を制御するイネーブル信号74の生成を禁止させ、クロック発生器66に出力する（ステップS24）。これによりクロック発生器66は、クロック信号44の生成が止まる。携帯電話機10は、クロック信号44の供給停止によりクロック信号44の供給に応じて動作する各部、たとえば送受信部12が動作を停止する。具体的に、動作は、少なくとも、RF部18、復調器22、バッファ26およびHost_IF回路28、ならびに制御部14の制御回路62で停止させる。この動作停止後、送受信を終了する。
【００４４】
また、前述した復調データ48を通過させるかの判定処理（ステップS14）にて判定条件を満足しない、供給される“0”または“1”の復調データ42が３ビット＋αの時間連続する場合（NO）、マンチェスタ判定部24は、非マンチェスタ符号のデータパターンとみなし、判定信号46の生成に進む（ステップS26へ）。
【００４５】
次にマンチェスタ判定部24は、判定信号46を生成する（ステップS26）。マンチェスタ判定部24は、前述したイネーブル信号として、図6(c)に示すように、判定信号46をこの判定結果に応じて３ビット後の時刻t1にてレベル“H”にする。バッファ26には、すでにマンチェスタ判定部24から図5(c)に示した復調データ48が格納されている。バッファ26は、格納した復調データ48を破棄する。この結果、図6(d)に示すように、この時刻t1以降の復調データ50が出力されず、レベル“L”になる。
【００４６】
また、この状況で生成した判定信号46をRF部18および復調器22に供給し、動作を停止させる。さらに、判定信号46は、制御部14にも供給される。携帯電話機10は、この判定信号46の供給に応じて前述した制御回路62におけるクロック信号44の停止処理に進む（ステップS24へ）。クロック信号44の停止処理は、前述の通りである。
【００４７】
次に制御部14の制御回路62で生成された送信データ68の送信について説明する。制御回路62は、図7(a)に示すように、生成したマンチェスタ符号の送信データ68をHost_IF回路54および28を介して、マンチェスタ符号化部30に出力する。
【００４８】
マンチェスタ符号化部30は、供給されるクロック信号44に応じて図7(b)に示す送信データ60を生成する。送信データ60は、クロック信号44を用いてマンチェスタ符号化することにより送信データ68に比べて半分の周期でマンチェスタ符号を生成する。
【００４９】
このように制御回路62でマンチェスタ符号化した送信データ68を用いず、送受信部12のマンチェスタ符号化部30でクロック信号44を利用して供給される送信データ58をマンチェスタ符号に変換して、変調器32に送信データ60として送出する。これにより、制御回路62がマンチェスタ符号のパターンを生成した送信データとして送出する従来に比べて、図7(b)に示すように半分の時間で同パターンのデータ生成が可能となる。したがって、制御回路62の負荷を軽減することができる。
【００５０】
これは、制御回路62での受信においてマンチェスタ符号を生成して、生成したデータをパターン解析する場合においても、図8(a)に示すようにマンチェスタ符号のデータを生成し、生成データを基に解析してきた。これに対して、本実施例の携帯電話機10は、図8(b)に示すように、復調データ42がマンチェスタ判定部24に供給されると、制御回路62でのパターン解析に比べてマンチェスタ判定部24でのパターン解析に要する時間が半分の時間で済むことがわかる。このようにパターン解析して制御回路62の動作を制御することにより制御回路62の負荷を軽減することができる。
【００５１】
なお、本発明の無線装置は、本実施例の携帯電話機10に適用したが、携帯電話機に限定されるものでなく、通信品質を向上させるためにデータ変換する通信機器すべてに適用することができる。また、本発明の無線装置は、データのパターン解析にともない制御し、その他の構成要素を起動制御したり、動作制御したりする通信機器に適用が可能である。
【００５２】
この構成のように、マンチェスタ判定部24を用いて、マンチェスタ符号における復調データのパターンを解析することにより、復調開始時に非マンチェスタ符号のデータパターンとの判定に応じて少なくとも、RF部18および復調器22の動作を停止させて電力消費を削減し、さらに、Host_IF回路28および制御回路62も起動させないことにより、Host_IF回路28および制御回路62の起動にともなって消費する電流や動作付加にともなう電力の削減を可能にする。
【００５３】
また、バッファ26を用いて数バイト溜めてから判定することで、一定時間安定したデータの転送が可能である。これにより、制御回路62の負荷が削減でき、結果として通信品質を向上させることができる。
【００５４】
さらに、従来の制御回路がマンチェスタパターンを解析する場合に比べ、半分の時間で同パターンのパターン解析が可能となる。このため、携帯電話機10は非マンチェスタのパターンを受信した際に早期の受信停止をすることができる。同様に、マンチェスタ符号化部30を設けることによっても半分の時間で同パターンのデータ生成が可能となる。したがって、制御回路62の負荷を軽減することができる。
【図面の簡単な説明】
【００５５】
【図１】本発明の無線装置を適用した携帯電話機の概略的な構成を説明するブロック図である。
【図２】図１の携帯電話機で用いるマンチェスタ符号を説明する図である。
【図３】図１の携帯電話機における動作手順を説明するフローチャートである。
【図４】図１のマンチェスタ判定部の判定に応じた復調データの出力を説明するタイミングチャートである。
【図５】図１のマンチェスタ判定部における入力データの変換を説明するタイミングチャートである。
【図６】図１のマンチェスタ判定部の判定に応じた復調データの破棄を説明するタイミングチャートである。
【図７】図１のマンチェスタ符号化部での符号化を説明するタイミングチャートである。
【図８】図１の制御回路での生成データと供給される受信データとの周期を比較するタイミングチャートである。
【符号の説明】
【００５６】
10  携帯電話機
12  送受信部
14  制御部
16  アンテナ
18  RF部
20  RSSI部
22  復調器
24  マンチェスタ判定部
26  バッファ
28、54  Host_IF回路
30  マンチェスタ符号化部
32  変調器
62  制御回路
64  判定部
66  タイマ
72  クロック発生器
【図１】
2007221655.tif 000003
【図２】
2007221655.tif 000004
【図３】
2007221655.tif 000005
【図４】
2007221655.tif 000006
【図５】
2007221655.tif 000007
【図６】
2007221655.tif 000008
【図７】
2007221655.tif 000009
【図８】
2007221655.tif 000010